(57)【要約】      （修正有）【課題】電磁環境測定が必要なデータセンター内の電磁環境を、その監視がしたい時に遠隔地からの操作によって自在に監視することができる電磁環境の遠隔監視方法と遠隔監視システムを提供する。【解決手段】電磁環境の被測定室内２に設置されて電磁環境を検知する受信アンテナ３と、該受信アンテナ３により検知された電磁環境信号をもとに電磁環境観測データを作成処理する観測データ処理手段とを有する測定サイト１に、インターネット回線もしくはイントラネット回線を介してアクセスして、所望の箇所の電磁環境を遠隔地から監視する。【選択図】図１
2006170758.tif 000002
【特許請求の範囲】
【請求項１】
電磁環境の被測定室内に設置されて電磁環境を検知する受信アンテナと、該受信アンテナにより検知された電磁環境信号をもとに電磁環境観測データを作成処理する観測データ処理手段とを有する測定サイトに、インターネット回線もしくはイントラネット回線を介してアクセスして、所望の箇所の電磁環境を遠隔地から監視することを特徴とする電磁環境の遠隔監視方法。
【請求項２】
電磁環境の被測定室内に設置されて電磁環境を検知する受信アンテナと、該受信アンテナにより検知された電磁環境信号をもとに電磁環境観測データを作成処理する観測データ処理手段とを有する測定サイトと、該測定サイトにアクセス可能なインターネット回線もしくはイントラネット回線とからなることを特徴とする電磁環境の遠隔監視システム。
【発明の詳細な説明】
【技術分野】
【０００１】
本発明は、所定の場所における電磁環境を、遠隔地から監視（モニタリング）することを可能にするシステムに関する。
【背景技術】
【０００２】
近年、電磁波ノイズが原因となってデータセンターのサーバー障害等が発生する事例が報告されており、このようなケースにおいては電磁環境測定が必要となっている。
【０００３】
このような要請に対して、現状では、サイトにおいて計測系を構築してごく短時間の計測を行うか、あるいは、一定の期間、計測系を設置しておいて累積した測定結果を分析する手法などで対応がされている。
【０００４】
しかし、前者方法においては、定常的に存在するノイズしか捉えることができず、真に障害の原因となり得る突発的な大電磁波ノイズを捕捉することは現実的に不可能であると考えられる。また、後者の方法においては、突発的な大電磁波ノイズを捕捉することが可能であると考えられるが、サイトに行かなければ電磁環境の状況が把握できない点、常時監視（モニター）ができない点で不都合がある。
【０００５】
特許文献に出てくる電磁環境の測定に関する先行技術としては、自然現象により発生する電磁波を検出する検出手段と、検出した信号をもとに観測データを作成する観測データ処理手段と、観測データを通信ネットワークに出力する通信手段とを備えた観測局と、観測局から送信される観測データを受信する通信手段と、受信した観測データを解析する観測データ処理手段と、解析された観測データを記憶する記憶手段と解析された観測データを表示する表示手段とを備えた基地局と、観測局と基地局を結ぶ通信ネットワークとにより構成される電磁波観測システムにおいて、観測局および基地局の通信手段はインターネットにより通信を行うための手段を備え、インターネットにより観測データを送信するという電磁波観測システムについての提案がされている（特許文献１）。
【０００６】
また、電磁環境の測定を行い、その観測結果から通信の品質を推定し、観測場所での電磁環境のクラス分けが可能な電磁環境観測装置についての提案がされており、具体的には、無線機器の通信用信号波及び電子機器からの電磁妨害信号波を検出し、この検出結果から電磁環境を判定する電磁環境観測装置において、通信用信号波及び電磁妨害信号波を検出するセンサ手段と、前記検出した信号波を検波し、周波数及び時間情報を解析するスペクトル波形測定手段と、前記信号波のレベル強度、継続時間、及び振幅確率分布を測定し、該振幅確率分布から無線機器のビットエラーレート、スループットレベルを算出し推定する演算処理手段と、前記推定結果から電磁妨害波の程度をランク分けし、通信用信号波と電磁妨害信号波の干渉程度を判定する電磁環境評価判定手段とを有するという電磁環境観測装置についての提案がされている（特許文献２）。
【０００７】
また、さまざまな屋内環境に対する各種の電波通信特性を測定、評価することの可能な電磁環境評価方法及びシステム装置として、現実の屋内空間と同一の可換自在な物理的環境条件に見立てて構成し、かつ屋内外へ侵入出する電波を吸収自在とする理想屋内空間内で、電波の送受信を行った各種電波通信特性と、当該各種電波通信特性に基づく電磁界特性とをそれぞれ測定して電波通信環境及び電磁環境への影響をシミュレーション評価するという電磁環境評価方法についての提案がされている（特許文献３）。
【０００８】
しかしながら、これらの提案はいずれも、電磁環境測定が必要なデータセンター内の電磁環境を、監視したい時に、遠隔地からの操作によって自在に監視をするという点については考慮されていないものであった。
【０００９】
特に、自然現象により発生する電磁波のみならず、むしろ人為的に発生する電磁波について主たる監視対象とするような場合には、監視をしたい時にリアルタイムに遠隔地からの操作によって自在に監視をするということが望まれるものである。
【特許文献１】特許第３１１７６６１号公報
【特許文献２】特開平９−２１８２３０号公報
【特許文献３】特開平１１−２３１００３号公報
【発明の開示】
【発明が解決しようとする課題】
【００１０】
本発明の目的は、電磁環境測定が必要なデータセンター内の電磁環境を、その監視がしたい時に遠隔地からの操作によって自在に監視することができる電磁環境の遠隔監視方法と遠隔監視システムを提供せんとするものである。
【課題を解決するための手段】
【００１１】
上述した目的を達成する本発明の電磁環境の遠隔監視方法は、以下の(1) のとおりの構成を有するものである。
（１）電磁環境の被測定室内に設置されて電磁環境を検知する受信アンテナと、該受信アンテナにより検知された電磁環境信号をもとに電磁環境観測データを作成処理する観測データ処理手段とを有する測定サイトに、インターネット回線もしくはイントラネット回線を介してアクセスして、所望の箇所の電磁環境を遠隔地から監視することを特徴とする電磁環境の遠隔監視方法。
【００１２】
また、上述した目的を達成する本発明の電磁環境の遠隔監視システムは、以下の(2) のとおりの構成を有するものである。
（２）電磁環境の被測定室内に設置されて電磁環境を検知する受信アンテナと、該受信アンテナにより検知された電磁環境信号をもとに電磁環境観測データを作成処理する観測データ処理手段とを有する測定サイトと、該測定サイトにアクセス可能なインターネット回線もしくはイントラネット回線とからなることを特徴とする電磁環境の遠隔監視システム。
【発明の効果】
【００１３】
請求項１、２にかかる本発明によれば、電磁環境測定が必要なデータセンター内の電磁環境を、その監視がしたい時に遠隔地からの操作によって自在に監視することのできる電磁環境の遠隔監視方法と遠隔監視システムが提供されるものである。
【発明を実施するための最良の形態】
【００１４】
以下、更に詳しく本発明の電磁環境の遠隔監視方法と遠隔監視システムについて説明する。
【００１５】
本発明の電磁環境の遠隔監視方法と遠隔監視システムは、コンピューターや電子機器類に誤作動を起こさせる可能性のある空間において、有害な電波や電磁波の発生や進入を検出し、これへの警報やアナウンスや表示を与え、必要に応じて対応措置をとることができるように、電磁環境を監視（モニタリング）することに関するものであり、特に、遠隔地にいながら監視者の希望する任意の時刻に該監視ができるようにされているものであり、複数の空間の電磁環境を集中して監視モニタリングすることを実現する方法・システムである。
【００１６】
その具体的構成の一実施態様例は、図１に示したように、測定サイト１は、測定室内２に設けられた受信アンテナ３、ＳＡ（スペクトラムアナライザー）４、ＰＣ（測定用パソコン兼用データサーバ）５、ＧＰ−ＩＢ（データ伝送路）６とからなり、イーサネット（登録商標）７を介して測定サイト１にアクセスすることにより、監視者はＰＣ（モニター用クライアントパソコン）８を用いて、遠隔地から任意の時間に測定室内の電磁環境を監視（モニタ）することができるように構成されているものである。
【００１７】
すなわち、インターネット通信プロトコルとしてＴＣＰ／ＩＰなどを用いることにより、監視者は、インターネット接続されていれば距離の制限はなく、常時もしくは定時に、または所望時に測定室内の電磁環境をモニタリングすることができるものである。
【００１８】
また、本発明では、インターネット回線の代わりに、イントラネット回線を使用しても同様の効果を得ることができる。
【００１９】
測定サイト１に設置するパソコン５には、計測用プログラムとともにＨＴＴＰサーバをインストールし、ＣＧＩプログラムによって、例えば、テキストファイル形式で保存されている電磁環境測定データを表示して、監視者は、ＰＣ（モニター用クライアントパソコン）８でＷｅｂブラウザを使用して、該表示データを見ることができ監視（モニタリング）することができるようになる。ここで、「測定データ」とは、日時、周波数、ノイズレベルなどである。
【００２０】
図２の（ａ）、（ｂ）は、複数周波数帯にわたり電磁環境を監視する場合における本発明にかかる監視方法・監視システムの実施態様例をそれぞれ示したものであり、特に、測定サイト１の構成例を示したものである。（ａ）は、複数の受信アンテナ３とＳＡ（スペクトラムアナライザー）４のセットで周波数帯分を用意してＰＣ（測定用パソコン兼用データサーバ）５に接続した構成例であり、（ｂ）は、複数の受信アンテナ３をマイクロ波スイッチ９を用いて切り換えてＰＣ（測定用パソコン兼用データサーバ）５に接続するようにした構成例である。
【００２１】
上述した本発明の電磁環境の遠隔監視方法と遠隔監視システムは、所謂クライアントサーバーモデルであり、電磁環境の検知・観察機能、記録機能、解析機能のいずれも測定サイトの有する機能であり、従って、クライアント側は、単に表示のための処理リクエストを発行し表示する機能だけを有していれば十分である。
【図面の簡単な説明】
【００２２】
【図１】図１は、本発明の電磁環境の遠隔監視方法と遠隔監視システムの具体的構成の一実施態様例を示したものである。
【図２】図２の（ａ）、（ｂ）は、複数周波数帯にわたり電磁環境を監視する場合における本発明にかかる監視方法・監視システムの実施態様例をそれぞれ示したものであり、特に、測定サイト１の構成例を示したものである。
【符号の説明】
【００２３】
１：測定サイト
２：測定室内
３：受信アンテナ
４：ＳＡ（スペクトラムアナライザー）
５：ＰＣ（測定用パソコン兼用データサーバ）
６：ＧＰ−ＩＢ（データ伝送路）
７：イーサネット（登録商標）
８：ＰＣ（モニター用クライアントパソコン）
【図１】
2006170758.tif 000003
【図２】
2006170758.tif 000004